(57)【要約】【課題】単語学習を楽しくより効果的に行うことが可能になる学習装置を提供する【解決手段】親モードの電子単語帳において、単語とその意味を対応付けた単語データを複数記憶している単語帳データから所望の出題範囲の単語のデータが指定され、当該指定された出題範囲の単語データに基づき、各単語とその意味が問題とその答えとして順次子モードの電子単語帳に送信される。そして、前記親モード、子モードの各電子単語帳において、前記問題としての単語が順次表示され、その都度、解答としての意味をユーザにより入力すると、前記答えとしての意味が表示され、正解である場合は［○］キー、不正解である場合は［×］キーを解答結果として入力する。すると、親モードの電子単語帳において、各単語帳…毎の前記解答結果を記憶した結果履歴データが生成されると共に、正解数に応じたポイントが算出され、最高ポイントの電子単語帳が次の親として決定される。【選択図】      図１０
2015176041.tif 000002
【特許請求の範囲】
【請求項１】
外部の装置と通信する通信手段と、
第１のモード又は第２のモードに設定するモード設定手段と、
このモード設定手段により第１のモードに設定された場合に、出題する問題を決定する出題決定手段と、
この出題決定手段により決定された問題を前記外部の装置へ送信する問題送信手段と、
前記モード設定手段により第２のモードに設定された場合に、前記外部の装置から送信された問題を受信する問題受信手段と、
前記問題を出力する問題出力手段と、
この問題出力手段により出力された問題に対するユーザの解答が正解か否かをユーザ操作に応じて入力する正否入力手段と、
前記モード設定手段により第２のモードに設定された場合に、前記正否入力手段により入力された正解か否かの情報を前記第１のモードに設定された外部の装置へ送信する正否情報送信手段と、
前記モード設定手段により第１のモードに設定された場合に、前記第２のモードに設定された外部の装置から送信された正解か否かの情報を受信する正否情報受信手段と、
この正否情報受信手段により前記外部の装置から受信された正解か否かの情報と前記正否入力手段により入力された当該装置での正解か否かの情報とに基づいて、次に第１のモードに設定する装置を決定する第１の装置決定手段と、
を備えたことを特徴とする学習装置。
【請求項２】
単語帳データを記憶する単語帳記憶手段を備え、
前記出題決定手段は、前記モード設定手段により第１のモードに設定された場合に、前記単語帳記憶手段により記憶された単語帳データから出題する単語の問題を決定する、
ことを特徴とする請求項１に記載の学習装置。
【請求項３】
外部の電子辞書から単語帳データを受信する単語帳受信手段を備え、
前記単語帳記憶手段は、前記単語帳受信手段により受信された単語帳データを記憶する、
ことを特徴とする請求項２に記載の学習装置。
【請求項４】
手書きの軌跡を入力する手書き入力手段と、
正解か否かを入力するキー入力手段とを備え、
前記正否入力手段は、前記問題出力手段により出力された問題に対して前記手書き入力手段により入力された解答が正解か否かを前記キー入力手段により入力する、
ことを特徴とする請求項１ないし請求項３の何れか１項に記載の学習装置。
【請求項５】
前記第１の装置決定手段は、前記正否情報受信手段により前記外部の装置から受信された正解か否かの情報と前記正否入力手段により入力された当該装置での正解か否かの情報とに基づいて、正解の度合いが高い装置を次に第１のモードに設定する装置として決定する、
ことを特徴とする請求項１ないし請求項４の何れか１項に記載の学習装置。
【請求項６】
外部の装置と通信する通信手段を備えた電子装置のコンピュータを制御するためのプログラムであって、
前記コンピュータを、
第１のモード又は第２のモードに設定するモード設定手段、
このモード設定手段により第１のモードに設定された場合に、出題する問題を決定する出題決定手段、
この出題決定手段により決定された問題を前記外部の装置へ送信する問題送信手段、
前記モード設定手段により第２のモードに設定された場合に、前記外部の装置から送信された問題を受信する問題受信手段、
前記問題を出力する問題出力手段、
この問題出力手段により出力された問題に対するユーザの解答が正解か否かをユーザ操作に応じて入力する正否入力手段、
前記モード設定手段により第２のモードに設定された場合に、前記正否入力手段により入力された正解か否かの情報を前記第１のモードに設定された外部の装置へ送信する正否情報送信手段、
前記モード設定手段により第１のモードに設定された場合に、前記第２のモードに設定された外部の装置から送信された正解か否かの情報を受信する正否情報受信手段、
この正否情報受信手段により前記外部の装置から受信された正解か否かの情報と前記正否入力手段により入力された当該装置での正解か否かの情報とに基づいて、次に第１のモードに設定する装置を決定する第１の装置決定手段、
として機能させるためのコンピュータ読み込み可能なプログラム。
【発明の詳細な説明】
【技術分野】
【０００１】
本発明は、単語の学習に好適な学習装置およびその制御プログラムに関する。
【背景技術】
【０００２】
近年、紙の書籍の辞書に代わり、利便性や携帯性が良いことから電子辞書が多用されている。この電子辞書は、多様な辞書をデータベースとして備えるだけでなく、多機能化しており、その機能として履歴機能や単語帳機能がある。
【０００３】
前記履歴機能では、検索した単語（見出し語）を履歴データとして自動的に保存することで、その後において、ユーザが過去に調べた単語を前記履歴データから簡単に読み出して再確認できる。
【０００４】
また、前記単語帳機能では、覚えたい単語を単語帳データとして保存し、この単語帳データに保存された単語を、紙の単語帳のようにその単語と訳とで切り換えて表示することで、簡単に所望の単語を学習できる。
【０００５】
データを暗記する際に活用可能な従来のデータ再生装置であって、単語、イディオム、文章等のテキストデータ、音声等のオーディオデータ、静止画等の画像データ、又は動画等の映像データについての対を成すデータを複数組記憶し、操作命令によって各データを再生することが考えられている（例えば、特許文献１参照。）。
【０００６】
また、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置も考えられている（例えば、特許文献２参照。）。
【０００７】
また、単語やその意味を順次その文字列のイメージデータとして取り込み、この取り込まれた各イメージデータを、ユーザ操作に応じて順番に読み出して表示させることで、簡単に所望の単語を学習できる携帯型の自己テスト学習機も考えられている（例えば、特許文献３参照。）。
【先行技術文献】
【特許文献】
【０００８】
【特許文献１】特開２００６−３３０５２０号公報
【特許文献２】特開２００９−２６６０２４号公報
【特許文献３】特開平０８−８３０３９号公報
【発明の概要】
【発明が解決しようとする課題】
【０００９】
しかしながら、前記従来の各装置のように、電子データとして記憶した複数の単語とその意味を、単に順番に切り替えて出力させるだけでなく、単語学習を楽しくより効果的に行いたい要望がある。
【００１０】
本発明は、このような課題に鑑みなされたもので、単語学習を楽しくより効果的に行うことが可能になる学習装置およびその制御プログラムを提供することを目的とする。
【課題を解決するための手段】
【００１１】
本発明に係る学習装置は、外部の装置と通信する通信手段と、第１のモード又は第２のモードに設定するモード設定手段と、このモード設定手段により第１のモードに設定された場合に、出題する問題を決定する出題決定手段と、この出題決定手段により決定された問題を前記外部の装置へ送信する問題送信手段と、前記モード設定手段により第２のモードに設定された場合に、前記外部の装置から送信された問題を受信する問題受信手段と、前記問題を出力する問題出力手段と、この問題出力手段により出力された問題に対するユーザの解答が正解か否かをユーザ操作に応じて入力する正否入力手段と、前記モード設定手段により第２のモードに設定された場合に、前記正否入力手段により入力された正解か否かの情報を前記第１のモードに設定された外部の装置へ送信する正否情報送信手段と、前記モード設定手段により第１のモードに設定された場合に、前記第２のモードに設定された外部の装置から送信された正解か否かの情報を受信する正否情報受信手段と、この正否情報受信手段により前記外部の装置から受信された正解か否かの情報と前記正否入力手段により入力された当該装置での正解か否かの情報とに基づいて、次に第１のモードに設定する装置を決定する第１の装置決定手段と、を備えたことを特徴としている。
【発明の効果】
【００１２】
本発明によれば、単語学習を楽しくより効果的に行うことが可能になる。
【図面の簡単な説明】
【００１３】
【図１】本発明の学習装置の実施形態に係る電子単語帳３０を電子辞書１０と通信接続した状態での外観構成を示す図。
【図２】前記電子辞書１０の電子回路の構成を示すブロック図。
【図３】前記電子辞書１０の辞書データベース２２ｂに記憶された英和辞典の辞書データ２２ｂ１を示す図。
【図４】前記電子辞書１０の単語帳出力ファイルメモリ２６ｃに記憶される単語帳出力ファイルの内容を示す図。
【図５】前記電子単語帳３０の電子回路の構成を示すブロック図。
【図６】前記電子単語帳３０の単語帳データ４２ｂの内容を示す図。
【図７】前記電子単語帳３０の結果履歴データメモリ４４ｃに記憶されるデータの内容を示す図。
【図８】前記電子辞書１０による辞書検索処理を示すフローチャート。
【図９】前記電子辞書１０による単語帳送信処理を示すフローチャート。
【図１０】前記電子単語帳３０によるグループ学習処理を示すフローチャート。
【図１１】前記電子単語帳３０のグループ学習処理に伴う親モードでの結果履歴書き込み処理を示すフローチャート。
【図１２】前記電子単語帳３０のグループ学習処理に伴う表示動作を示す図。
【図１３】前記電子単語帳３０のグループ学習処理における他の実施形態の問題表示処理を示すフローチャート。
【図１４】前記電子単語帳３０の他の実施形態の問題表示処理に伴う表示動作を示す図。
【発明を実施するための形態】
【００１４】
以下図面により本発明の実施の形態について説明する。
【００１５】
図１は、本発明の学習装置の実施形態に係る電子単語帳３０を電子辞書１０と通信接続した状態での外観構成を示す図である。
【００１６】
前記電子単語帳３０は前記電子辞書１０と相互に通信可能である。
【００１７】
前記電子辞書１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１８】
前記電子辞書１０は、その本体ケース１１と蓋体ケース１２とがヒンジ部１３を介して開閉可能な折り畳み型ケースを備えて構成される。この折り畳み型ケースを開いた本体ケース１１の表面には、文字入力キー、辞書指定キー、［決定］キー、［戻る］キー、［単語帳登録］キー１４ａなどを備えたキー入力部１４が備えられる。
【００１９】
また、前記蓋体ケース１２の表面には、そのほぼ全面にバックライト付きのタッチパネル式表示部１５が備えられる。
【００２０】
前記タッチパネル式表示部１５は、タッチ位置検出装置と表示装置が一体となった構造であり、バックライト付きカラー液晶表示画面に透明タッチパネルを重ねて構成される。
【００２１】
一方、前記電子単語帳３０は、以下に説明する電子単語帳専用の携帯機器として構成されるか、携帯電話、電子ブック、携帯ゲーム機等として構成される。
【００２２】
この電子単語帳３０は、例えばカードサイズの本体ケースを有し、その正面の左端に沿って縦長のキー入力部３１が備えられ、それ以外の領域にタッチパネル式表示部３２が備えられる。
【００２３】
前記キー入力部３１には、前記タッチパネル式表示部３２に表示される各種のデータを次のデータに送るための送り［＜］キー３１ａ、ユーザが入力した解答に対して答えが表示された際にユーザ自ら正解か不正解かを入力するための［○］キー３１ｂ、［×］キー３１ｃ、表示中の単語のデータに対応付けてチェックマークを付加したり消去したりするためのチェック［Ｖ］キー３１ｄが備えられる。
【００２４】
なお、前記単語のデータとは、英和モードの場合は、英単語のデータとその日本語訳（意味）のデータであり、和英モードの場合は、日本語のデータとその英語訳（意味）のデータである。そして、前記英和モードにおいて、英単語→日本語訳（意味）の順で表示させる場合には、当該英単語が問題、日本語訳（意味）が答えとなり、前記和英モードにおいて、日本語→英語訳（意味）の順で表示させる場合には、当該日本語が問題、英語訳（意味）が答えとなる。
【００２５】
また、前記チェックマークは、例えば該当する単語をユーザが覚えたことをユーザが確認するために当該ユーザ自身の操作によって付加される。
【００２６】
図２は、前記電子辞書１０の電子回路の構成を示すブロック図である。
【００２７】
前記電子辞書１０の電子回路は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２８】
このＣＰＵ２１は、記憶装置２２内に予め記憶された辞書制御プログラム２２ａ、あるいはＲＯＭカードなどの外部記録媒体２３から記録媒体読み取り部２４を介して前記記憶装置２２に書き込まれた辞書制御プログラム２２ａ、あるいはインターネットＮ上のＷｅｂサーバ（この場合はプログラムサーバ）５０から通信部２５を介して前記記憶装置２２に書き込まれた辞書制御プログラム２２ａに応じて、ＲＡＭ２６を作業用メモリとして回路各部の動作を制御する。
【００２９】
前記記憶装置２２に記憶された辞書制御プログラム２２ａは、前記キー入力部１４、タッチパネル式表示部１５からのユーザ操作に応じた入力信号、あるいは前記通信部２５を介して接続されるインターネットＮ上の各Ｗｅｂサーバ５０…や前記電子単語帳３０との通信信号に応じて起動される。
【００３０】
このように、前記ＣＰＵ２１には、前記記憶装置２２、記録媒体読み取り部２４、通信部２５、ＲＡＭ２６、キー入力部１４、タッチパネル式表示部１５が接続される。
【００３１】
前記記憶装置２２には、前記辞書制御プログラム２２ａとして、当該電子辞書１０の全体の動作を司るシステムプログラム、前記通信部２５を介してインターネットＮ上の各Ｗｅｂサーバ５０…や図示しないユーザＰＣ(Personal Computer)、前記電子単語帳３０などとデータ通信するための通信プログラム等が記憶される。また、前記辞書制御プログラム２２ａとして、検索語入力処理、検索語に対応した見出し語検索処理、検索見出し語のプレビュー付き一覧表示処理、選択された見出し語に対応する語義・用例・解説などの各種説明情報の読み出し表示処理、選択された見出し語（単語）のリスト（単語帳リスト）を生成し前記電子単語帳３０に送信する処理など、同記憶装置２２内の辞書データベース２２ｂ、単語帳リストデータ２２ｃに基づく検索・読み出し・表示・リスト生成・送信処理全般を制御するための辞書検索プログラムが記憶される。
【００３２】
前記辞書データベース２２ｂには、例えば、国語辞典、英和辞典、和英辞典、英英辞典、百科事典等の各種の辞書が記憶される。
【００３３】
図３は、前記電子辞書１０の辞書データベース２２ｂに記憶された英和辞典の辞書データ２２ｂ１を示す図である。
【００３４】
この英和辞典の辞書データ２２ｂ１としては、アルファベット順にした各英単語の見出し語とその日本語の意味などからなる説明情報とが対応付けられて記憶される。
【００３５】
なお、前記英和辞典以外の各種の辞書データも、基本的には当該英和辞典と同様に、各見出し語とその意味（説明情報）とが対応付けられたデータ構造として記憶される。
【００３６】
前記単語帳リストデータ２２ｃとしては、前記見出し語検索処理に応じて検索された見出し語（単語）の説明情報が表示された状態で、前記キー入力部１４の［単語帳登録］キー１４ａが操作された際に、当該単語とその意味（説明情報）とが対応付けられて記憶される。
【００３７】
なお、前記単語帳リストデータ２２ｃは、前記辞書データベース２２ｂに記憶された辞書の種類毎あるいはユーザ任意の分類別に生成される。
【００３８】
前記ＲＡＭ２６には、入力データメモリ２６ａ、表示データメモリ２６ｂ、単語帳出力ファイルメモリ２６ｃなどが確保される。
【００３９】
前記入力データメモリ２６ａには、前記キー入力部１４、タッチパネル式表示部１５のユーザ操作に応じた個々の入力データが逐次記憶される。
【００４０】
前記表示データメモリ２６ｂには、前記タッチパネル式表示部１５の画面に表示させる表示データがビットマップパターンに展開されて記憶される。
【００４１】
図４は、前記電子辞書１０の単語帳出力ファイルメモリ２６ｃに記憶される単語帳出力ファイルの内容を示す図である。
【００４２】
この単語帳出力ファイルには、前記単語帳リストデータ２２ｃを前記電子単語帳３０に送信する際に、当該単語帳リストデータ２２ｃの各単語とその意味（説明情報）とが転送されて記憶されるもので、この際、当該各単語の意味のデータは、前記単語帳リストデータ２２ｃに記憶された詳細な意味のデータから用例や解説等を省いて主要な語義だけを抽出した簡略形式のデータとして記憶される。
【００４３】
このように構成された電子辞書１０は、前記ＣＰＵ２１が前記辞書制御プログラム２２ａ（検索語入力処理、見出し語検索処理、プレビュー付き見出し語一覧表示処理、選択見出し語の説明情報表示処理、前記単語帳リストデータ２２ｃの生成・転送・送信処理等を実行するためのプログラムを含む）に記述された命令に従い回路各部の動作を制御し、ソフトウエアとハードウエアとが協働して動作することにより、後述の動作説明で述べる機能を実現する。
【００４４】
図５は、前記電子単語帳３０の電子回路の構成を示すブロック図である。
【００４５】
この電子単語帳３０の電子回路は、プログラムによって動作が制御されるコンピュータによって構成され、その電子回路には、ＣＰＵ４１が備えられる。
【００４６】
このＣＰＵ４１は、記憶装置４２内に予め記憶された単語帳制御プログラム４２ａに応じて、ＲＡＭ４４を作業用メモリとして回路各部の動作を制御する。なお、前記単語帳制御プログラム４２ａは、本電子単語帳３０に前記電子辞書１０以外と通信可能な外部インターフェースを備えさせた場合には、ＲＯＭカードなどの外部記録媒体やインターネットＮ上のＷｅｂサーバ（この場合はプログラムサーバ）５０から前記記憶装置４２に読み込むようにすることができる。
【００４７】
前記記憶装置４２に記憶された単語帳制御プログラム４２ａは、前記キー入力部３１からのユーザ操作に応じた入力信号、あるいは近距離無線通信部４３を介して接続される前記電子辞書１０や他の電子単語帳３０との通信信号に応じて起動される。
【００４８】
このように、前記ＣＰＵ４１には、前記記憶装置４２、近距離無線通信部４３、ＲＡＭ４４、キー入力部３１、タッチパル式表示部３２が接続される。
【００４９】
前記記憶装置４２には、前記単語帳制御プログラム４２ａとして、当該電子単語帳３０の全体の動作を司るシステムプログラム、前記近距離無線通信部４３を介して前記電子辞書１０や他の電子単語帳３０とデータ通信するための通信プログラム等が記憶される。また、前記単語帳制御プログラム４２ａとして、前記電子辞書１０との通信接続に伴い、当該電子辞書１０から送信された単語帳出力ファイル２６ｃ（図４参照）を受信して前記記憶装置４２に単語帳データ４２ｂとして記憶させるためのデータ受信処理、前記記憶装置４２に記憶された単語帳データ４２ｂにある各単語とその意味とをユーザ操作に応じて順番に切り替えて表示させると共に前記チェック［Ｖ］キー３１ｄの操作に応じてチェックマークの付加又は消去を行う単語帳学習処理、複数の電子単語帳３０…間で相互直接通信を立ち上げると共に、その一つを親モードの電子単語帳３０それ以外を子モードの電子単語帳３０とし、当該親モードの電子単語帳３０によりその単語帳データ４２ｂから指定された出題範囲の単語のデータに基づきグループ学習を行うためのグループ学習処理など、同記憶装置４２内の単語帳データ４２ｂ、問題集データ４２ｃに基づく処理全般を制御するためのデータ処理プログラムが記憶される。
【００５０】
図６は、前記電子単語帳３０の単語帳データ４２ｂの内容を示す図である。
【００５１】
この単語帳データ４２ｂとしては、前記電子辞書１０から送信された単語帳出力ファイル２６ｃ（図４参照）がそのまま記憶され、当該単語帳データ４２ｂ内の各単語のデータには、前記単語帳学習処理に際して前記チェック［Ｖ］キー３１ｄの操作に応じて付加／消去されるチェックフラグと表示した最終の日時とが対応付けられて記憶される。
【００５２】
前記ＲＡＭ４４には、前記タッチパネル式表示部３２に表示させるべき表示データが記憶される表示データメモリ４４ａ、前記グループ学習処理に伴い本電子単語帳３０が親モードであるか子モードであるかを記憶する親／子モードデータメモリ４４ｂ、前記親モードの電子単語帳３０において前記グループ学習処理に伴いそのグループ内の各電子単語帳３０…による解答結果の情報を記憶する結果履歴データメモリ４４ｃなどが確保される。
【００５３】
図７は、前記電子単語帳３０の結果履歴データメモリ４４ｃに記憶されるデータの内容を示す図である。
【００５４】
この結果履歴データメモリ４４ｃには、前記親モードの電子単語帳３０においてその単語帳データ４２ｂから指定された出題範囲の各問題に対する解答結果の情報（正解／不正解、解答時間、これらに応じたポイント）が、グループ内の各電子単語帳３０…のＩＤ（Ｎｏ．１、Ｎｏ．２、…）に対応付けられて記憶される。
【００５５】
このように構成された電子単語帳３０は、前記ＣＰＵ４１が前記単語帳制御プログラム４２ａ（データ受信処理、単語帳学習処理、グループ学習処理等を実行するためのプログラムを含む）に記述された命令に従い回路各部の動作を制御し、ソフトウエアとハードウエアとが協働して動作することにより、以下の動作説明で述べる機能を実現する。
【００５６】
次に、前記構成の電子辞書１０および電子単語帳３０の動作について説明する。
【００５７】
（電子辞書１０：辞書検索処理）
図８は、前記電子辞書１０による辞書検索処理を示すフローチャートである。
【００５８】
前記電子辞書１０において、その辞書データベース２２ｂに記憶されている各種の辞書データの中からユーザ操作に応じて任意の辞書（例えば英和辞典）が指定され、ユーザが調べたい検索語が入力されてタッチパネル式表示部１５に表示されると（ステップＡ１）、入力された検索語と前方一致する見出し語（単語）が前記英和辞書から読み出され検索候補として前記表示部１５に一覧表示される（ステップＡ２）。
【００５９】
この一覧表示された検索候補の見出し語の中からユーザ操作に応じて任意の見出し語が選択されると（ステップＡ３（Ｙｅｓ））、当該選択された見出し語（単語）に対応する説明情報が前記英和辞書から読み出され前記表示部１５の全画面に展開されて表示される（ステップＡ４）。
【００６０】
ここで、今回辞書検索されて表示された見出し語（単語）を前記単語帳リストデータ２２ｃに登録して学習したい場合等により、ユーザ操作に応じて前記［単語帳登録］キー１４ａが操作されたと判断されると（ステップＡ５（Ｙｅｓ））、当該今回検索されて表示された見出し語（単語）とその説明情報（意味）が、前記単語帳リストデータ２２ｃに追加されて記憶される（ステップＡ６）。
【００６１】
（電子辞書１０：単語帳送信処理）
図９は、前記電子辞書１０による単語帳送信処理を示すフローチャートである。
【００６２】
この単語帳送信処理では、前記辞書検索処理に伴い学習対象として登録した単語帳リストデータ２２ｃを前記単語帳出力ファイル２６ｃ（図４参照）として生成し電子単語帳３０に送信する。
【００６３】
ユーザ操作に応じて当該単語帳送信処理が起動されると、前記単語帳リストデータ２２ｃに記憶されている各単語のデータが順次読み出され（ステップＢ１）、読み出された単語とその意味（説明情報）が前記単語帳出力ファイル２６ｃに順次追加されて記憶される（ステップＢ２，Ｂ３）。
【００６４】
この際、前記単語帳出力ファイル２６ｃに記憶される単語の意味（説明情報）は、前記辞書データベース２２ｂから読み出されて前記単語帳リストデータ２２ｃに記憶された詳細な説明情報から用例や解説等を省いて主要な語義だけを抽出した簡略形式の説明情報として記憶される（ステップＢ２）。
【００６５】
そして、前記単語帳リストデータ２２ｃに記憶されている各単語のデータが全て前記単語帳出力ファイル２６ｃに記憶され、次に読み出す単語のデータがなくなったと判断されると（ステップＢ４（Ｎｏ））、前記単語帳出力ファイル２６ｃが前記通信部２５を介して前記電子単語帳３０に送信される（ステップＢ５）。
【００６６】
（電子単語帳３０：データ受信処理）
前記電子単語帳３０において、前記電子辞書１０の単語帳送信処理に伴い送信された単語帳出力ファイル２６ｃ（図４参照）は、近距離無線通信部４３を介して受信され、前記記憶装置４２内に単語帳データ４２ｂ（図６参照）として記憶される。
【００６７】
（電子単語帳３０：単語帳学習処理）
ここでは、英和モードでの単語帳学習処理について説明する。
【００６８】
この単語帳学習処理では、前記キー入力部３１の送り［＜］キー３１ａの操作に応じて、前記単語帳データ４２ｂに記憶されている問題としての英単語とその意味（簡易説明情報）とが、各単語毎に［英単語］→その［意味］→次の［英単語］→その［意味］…の順番でタッチパネル式表示部３２に表示される。
【００６９】
この際、前記単語帳データ４２ｂの該当する単語に対応付けられてその表示日時が記憶される。
【００７０】
また、前記表示された［英単語］やその［意味］について、ユーザがその単語を覚えたことを確認するために、チェック［Ｖ］キー３１ｄが操作されると、当該［英単語］やその［意味］と共にチェックマークが表示されると共に、前記単語帳データ４２ｂの該当する単語に対応付けられてチェックフラグが書き込まれる。
【００７１】
これにより、ユーザは、前記電子辞書１０の単語帳リストデータ２２ｃに基づき生成された単語帳データ４２ｂを電子単語帳３０にて表示させ、容易に単語の学習を行うことができる。
【００７２】
（電子単語帳３０：グループ学習処理）
図１０は、前記電子単語帳３０によるグループ学習処理を示すフローチャートである。
【００７３】
図１１は、前記電子単語帳３０のグループ学習処理に伴う親モードでの結果履歴書き込み処理を示すフローチャートである。
【００７４】
図１２は、前記電子単語帳３０のグループ学習処理に伴う表示動作を示す図である。
【００７５】
複数のユーザがそれぞれ持ち寄った各自の電子単語帳３０において、グループ学習処理が起動されると、当該各電子単語帳３０…の近距離無線通信部４３を介して無線アドホックネットワーク等による相互の直接通信が確立されグループ化される（ステップＳ１）。
【００７６】
この際、各ユーザ間で親となる電子単語帳３０を決定し、該当する電子単語帳３０を親モード、それ以外の電子単語帳３０…を子モードに設定する。
【００７７】
そして、前記グループ化された電子単語帳３０…において、親／子モードデータメモリ４４ｂに記憶されたモードデータに基づき親モードであると判断されると（ステップＳ２（親モード））、前記記憶装置４２に記憶されている単語帳データ４２ｂ（図６参照）の中から、例えば図１２（Ａ）に示すように、前記単語帳学習処理にて学習した最新の１０個の単語を出題するか［１．最新１０問］、古い１０個の単語を出題するか［２．古い１０問］、チェックフラグが書き込まれた１０個の単語を出題するか［３．チェックあり１０問］、チェックフラグの書き込まれていない１０個の単語を出題するか［４．チェックなし１０問］の選択項目を配列した出題範囲選択画面ＧＬがタッチパネル式表示部３２に表示される（ステップＳ３）。
【００７８】
この出題範囲選択画面ＧＬにおいて、所望の出題範囲の選択項目がタッチにより指定され識別表示Ｈされると（ステップＳ３）、指定された出題範囲の単語（例えば、チェックフラグが書き込まれた１０個の単語）のデータから最初の単語とその意味が問題と答えとして読み出され、前記子モードに設定されている他の電子単語帳３０…に送信され（ステップＳ４）、図１２（Ｂ）に示すように、当該問題としての単語「succeed」を表記した問題画面Ｇｍが表示される（ステップＳ５）。
【００７９】
この問題画面Ｇｍにおいて、図１２（Ｃ）に示すように、その解答が手書き入力されると（ステップＳ６（Ｙｅｓ））、当該入力された手書きの文字「成功する」が表示される（ステップＳ７）。
【００８０】
そして、キー入力部３１の送り［＜］キー３１ａが操作されると（ステップＳ８（Ｙｅｓ））、図１２（Ｄ）に示すように、前記問題としての単語「succeed」およびその解答である手書きの文字が表示された問題画面Ｇｍに対して、さらにその答えである意味（簡略化説明情報）「成功する」が前記単語帳データ４２ｂから読み出されて表示される（ステップＳ９）。
【００８１】
なお、前記問題としての単語「succeed」に対する解答が手書き入力されていなくても（ステップＳ６（Ｎｏ））、前記送り［＜］キー３１ａが操作されると（ステップＳ８（Ｙｅｓ））、前記答えである意味「成功する」が読み出されて表示される（ステップＳ９）。
【００８２】
ここで、前記問題画面Ｇｍに表示された問題としての単語「succeed」に対する自分の解答と答えである意味「成功する」とをユーザが比較して、正解であれば［○］キー３１ｂ、不正解であれば［×］キー３１ｃを操作する。あるいは、ユーザが問題に対して答えを考え、手書き入力せずに送り［＜］キー３１ａを操作し、表示された解答とユーザの考えた答えとを比較した場合にも、［○］［×］キーは操作される。すると、前記結果履歴データメモリ４４ｃ（図７参照）における自分の電子単語帳３０のＩＤ（Ｎｏ．ｎ）に対応付けられて、その解答結果（［○］又は［×］）と前記問題画面Ｇｍの表示開始から当該解答入力までの時間が記憶される（ステップＳ１０）。
【００８３】
そして、図１１における結果履歴書き込み処理へ移行される（ステップＳＴ）。
【００８４】
一方、前記子モードに設定された電子単語帳３０において、前記親モードの電子単語帳３０から送信された最初の問題と答えである単語とその意味が受信されると（ステップＳ１６）、当該問題と答えがＲＡＭ２６に記憶される（ステップＳ１７）。
【００８５】
すると、前記親モードの電子単語帳３０と同様に、前記図１２（Ｂ）で示したように、前記問題である単語「succeed」を表記した問題画面Ｇｍが表示され（ステップＳ１８）、ユーザ自らの解答と答えを比較した解答結果（［○］又は［×］）が入力されると（ステップＳ１９〜Ｓ２３）、当該入力された回答結果がその解答入力までの時間と共に前記親モードの電子単語帳３０へ送信される（ステップＳ２４）。
【００８６】
そして、前記親モードの電子単語帳３０からの次の問題と答えである単語とその意味の受信待機状態となる（ステップＳ２５（Ｎｏ）→Ｓ２８（Ｎｏ）→Ｓ１６）。
【００８７】
その他の子モードの電子単語帳３０…も前記同様に、前記問題である単語「succeed」に対するユーザ自らの解答と答えを比較した解答結果（［○］又は［×］）がその解答入力までの時間と共に前記親モードの電子単語帳３０へ送信される（ステップＳ１６〜Ｓ２４）。そして、前記親モードの電子単語帳３０からの次の問題と答えの受信待機状態となる（ステップＳ２５（Ｎｏ）→Ｓ２８（Ｎｏ）→Ｓ１６）。
【００８８】
前記親モードの電子単語帳３０における結果履歴書き込み処理において（ステップＳＴ）、前記子モードの電子単語帳３０から送信された解答結果（［○］又は［×］）とその解答入力までの時間が受信されると（ステップＴ１（Ｙｅｓ））、当該送信元の電子単語帳３０が判別される（ステップＴ２）。
【００８９】
すると、前記結果履歴データメモリ４４ｃ（図７参照）における前記判別された送信元の電子単語帳３０のＩＤ（Ｎｏ．ｎ）に対応付けられて、当該送信元の電子単語帳３０から受信された解答結果（［○］又は［×］）とその解答入力までの時間が記憶される（ステップＴ３）。
【００９０】
そして、前記結果履歴データメモリ４４ｃにおいて、前記グループ化された各電子単語帳３０…の全ての解答結果が記憶されたと判断されると（ステップＳ１１（Ｙｅｓ））、当該各電子単語帳３０…それぞれの解答結果（［○］又は［×］）とその解答入力までの時間に応じたポイントが算出され、該当する電子単語帳３０のＩＤ（Ｎｏ．ｎ）に対応付けられて記憶される（ステップＳ１２）。
【００９１】
ここで、前記各電子単語帳３０…それぞれの解答結果とその解答入力までの時間に応じたポイントは、その解答結果が［○］で且つ解答入力までの時間が短いほど高く、またその解答結果が［×］で且つ解答入力までの時間が長いほど低く算出される。
【００９２】
そして、前記ステップＳ３にて指定された出題範囲の単語（ここでは１０個の単語）のデータにおいて、次の問題としての単語があると判断されると（ステップＳ１３（Ｙｅｓ））、当該次の単語とその意味が問題と答えとして読み出され、前記同様に、子モードに設定されている他の電子単語帳３０…に送信されると共に（ステップＳ４）、当該次の問題としての単語を表記した問題画面Ｇｍが表示される（ステップＳ５）。
【００９３】
この後、前記親モードの電子単語帳３０では、前記ステップＳ３〜Ｓ１３の処理が同様に繰り返され、これと共に、前記子モードの電子単語帳３０では、前記ステップＳ１６〜２４の処理が同様に繰り返される。
【００９４】
そして、前記ステップＳ３にて指定された出題範囲の全ての単語（ここでは１０個の単語）のデータを対象に、親モードの電子単語帳３０および子モードの電子単語帳３０のそれぞれにおいて、その問題の表示、答えの表示、解答の入力が行われると、当該親モードの電子単語帳３０の結果履歴データメモリ４４ｃには、前記出題範囲の全ての単語について、前記グループ化された各電子単語帳３０…のＩＤ…それぞれに対応付けたポイントが算出されて書き込まれた状態となる。
【００９５】
ここで、次の問題としての単語がないと判断されると（ステップＳ１３（Ｎｏ））、前記結果履歴データメモリ４４ｃに記憶された各電子単語帳３０…のＩＤ…それぞれに対応付けられた前記出題範囲の各単語についてのポイントが当該各ＩＤ毎に集計され、集計されたポイントが最も高い電子単語帳３０が次の親として決定される。この際、決定された次の親が他の電子単語帳３０である場合は、前記親／子モードメモリ４４ｂに設定されている親モードのデータが子モードのデータに書き替えられる。そして、図１２（Ｅ）に示すように、前記グループ化された各電子単語帳３０…のＩＤに対応付けられて予め記憶されているユーザ名に対応付けて、前記結果履歴データ（４４ｃ）に基づく正解の問題数を表記すると共に、次の親として決定されたユーザ名を識別表示Ｈさせた結果画面ＧＲが生成され、タッチパネル式表示部３２に表示されると共に、前記子モードの電子単語帳３０へ送信される（ステップＳ１４）。
【００９６】
ここで、ユーザにより終了の操作がなされない場合は（ステップＳ１５（Ｎｏ））、前記親／子モードメモリ４４ｂに書き替えられて設定された子モードのデータに従った処理に移行される（ステップＳ２→Ｓ１６〜Ｓ２８）。
【００９７】
一方、前記子モードの電子単語帳３０において、前記親モードの電子単語帳３０から送信された前記結果画面ＧＲ（図１２（Ｅ）参照）が受信されると（ステップＳ２５（Ｙｅｓ））、当該受信された結果画面ＧＲが表示される（ステップＳ２６）。
【００９８】
そして、前記受信された結果画面ＧＲのデータに基づき、自己の電子単語帳３０が親として決定されたと判断されると（ステップＳ２７（Ｙｅｓ））、前記親／子モードメモリ４４ｂに親モードのデータが設定され（ステップＳ２９）、当該親モードに従った処理に移行される（ステップＳ３〜Ｓ１５）。
【００９９】
また、前記受信された結果画面ＧＲのデータに基づき、自己の電子単語帳３０が親として決定されていないと判断された場合であって（ステップＳ２７（Ｎｏ））、ユーザにより終了の操作がなされない場合は（ステップＳ２８（Ｎｏ））、再び子モードに設定されたまま、前記親モードの電子単語帳３０から送信される次の問題とその答えの受信待機状態に戻る（ステップＳ２８（Ｎｏ）→Ｓ１６）。
【０１００】
したがって、前記構成の電子単語帳３０によるグループ学習機能によれば、複数の電子単語帳３０…間でそれぞれその近距離無線通信部４３を介して相互の直接通信を確立し、そのうち１つの電子単語帳３０を親モードに設定し、それ以外の電子単語帳３０を子モードに設定する。すると、親モードの電子単語帳３０において、単語とその意味（簡略説明情報）を対応付けた単語のデータを複数記憶している単語帳データ４２ｂから所望の出題範囲の単語のデータが指定され、当該指定された出題範囲の単語のデータに基づき、各単語とその意味が問題とその答えとして順次前記子モードの電子単語帳３０に送信される。そして、前記親モード、子モードの各電子単語帳３０…において、前記問題としての単語が順次表示され、その都度、解答としての意味をユーザにより入力すると、前記答えとしての意味が表示され、正解である場合は［○］キー３１ｂ、不正解である場合は［×］キー３１ｃを解答結果として入力する。すると、親モードの電子単語帳３０において、各単語帳３０…毎の前記解答結果を記憶した結果履歴データ４４ｃが生成されると共に、正解数に応じたポイントが算出され、最高ポイントの電子単語帳３０が次の親として決定される。
【０１０１】
これにより、グループ化された各電子単語帳３０…において、親の電子単語帳３０となれば、自らの単語帳データ４２ｂに基づき指定した出題範囲の単語を問題としてグループ学習できるので、当該各電子単語帳３０…のユーザは、親になるべく仲間と競い合って学習することができ、単語学習を楽しくより効果的に行うことが可能になる。
【０１０２】
また、前記構成の電子単語帳３０によるグループ学習機能によれば、前記単語帳データ４２ｂは、前記電子辞書１０から、その辞書検索処理に伴い生成された単語帳リストデータ２２ｃを、前記単語帳送信処理に伴い各単語の意味（説明情報）を簡略化した単語帳出力ファイル２６ｂとして受信されるので、ユーザ自身の電子辞書１０で生成した単語帳リストデータ２２ｃの内容に基づき、前記グループ学習における出題範囲を指定できる。
【０１０３】
また、前記各電子単語帳３０…でのグループ学習において、問題としての単語に対しユーザ入力される解答としての意味は、前記タッチパネル式表示部３２に表示された問題画面Ｇｍ上での手書き文字として入力され、この後表示される答えとしての意味との比較により、その正解／不正解をユーザ自らが［○］キー３１ｂ又は［×］キー３１ｃにより入力するので、仲間と競い合う感覚をより強く持たせ、単語学習を楽しくより効果的に行うことが可能になる。
【０１０４】
なお、前記実施形態の電子単語帳３０によるグループ学習処理（図１０参照）での問題表示処理（Ｓ５／Ｓ１７）では、例えば、前記図１２（Ｂ）で示したように（英和モード）、問題である単語「succeed」のみを問題画面Ｇｍに表記して表示させたが、次の他の実施形態で説明するように、過去の解答結果に応じてヒントを加えて表示させる構成としてもよい。
【０１０５】
図１３は、前記電子単語帳３０のグループ学習処理における他の実施形態の問題表示処理を示すフローチャートである。
【０１０６】
図１４は、前記電子単語帳３０の他の実施形態の問題表示処理に伴う表示動作を示す図である。
【０１０７】
この他の実施形態の問題表示処理は、前記図１０で示したグループ学習処理における親モードでのステップＳ４とＳ６との間の処理、および子モードでのステップＳ１７とＳ１９との間の処理に入れ替えて実行される。
【０１０８】
また、この他の実施形態では、前記問題画面Ｇｍとして表示された問題とその解答結果（正解［○］／不正解［×］）とを対応付けて記憶しておく問題解答履歴データメモリをＲＡＭ４４に確保する。
【０１０９】
ここでは、和英モードにおいて、前記出題範囲として指定された各単語のデータが、日本語（単語）が問題となりその英語訳（意味）が答えとなる場合について説明する。
【０１１０】
すなわち、親モードの電子単語帳３０では、前記出題範囲として指定された単語のデータに基づき、問題としての日本語「成功する」を表示させる際に、当該問題が前記問題解答履歴データメモリに記憶された過去の問題と同じであって（ステップＳ４ａ（Ｙｅｓ））、その解答結果が不正解［×］であると判断された場合には（ステップＳ４ｂ（Ｎｏ））、ヒント（ここでは答えである英語訳「succeed」の先頭文字「s」）が生成され（ステップ４ｃ）、図１４に示すように、当該問題「成功する」にヒント「s」を加えて表記した問題画面Ｇｍが表示される（ステップＳ４ｄ）。
【０１１１】
これによれば、ユーザが覚えていない同じ問題を繰り返し学習する場合に、その答えに気付かせ、より効果的な学習が行える。
【０１１２】
また、前記実施形態の電子単語帳３０では、前記単語帳データ４２ｂとして記憶された各単語のデータから出題範囲を指定したが、前記問題集データ４２ｃに予め記憶されている「歴史」や「地理」等の他の種類のデータからその出題範囲を指定してもよい。
【０１１３】
なお、前記各実施形態において記載した電子辞書１０、電子単語帳３０による各処理の手法、およびデータベース、すなわち、図８のフローチャートに示す前記電子辞書１０での辞書検索処理、図９のフローチャートに示す前記電子辞書１０での単語帳送信処理、図１０および図１１のフローチャートに示す前記電子単語帳３０でのグループ学習処理、図１３のフローチャートに示す前記電子単語帳３０でのグループ学習処理に伴う他の実施形態の問題表示処理等の各手法、および前記辞書データベース２２ｂや単語帳データ４２ｂ等のデータベースは、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、タッチパネル式表示部を備えた電子機器のコンピュータ（制御装置）は、この外部記録装置の媒体に記憶されたプログラムを記憶装置に読み込み、この読み込んだプログラムによって動作が制御されることにより、前記各実施形態において説明した辞書検索機能、単語帳送信機能、グループ学習機能を実現し、前述した手法による同様の処理を実行することができる。
【０１１４】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータをタッチパネル式表示部を備えた電子機器に取り込んで記憶装置に記憶させ、前述した辞書検索機能、単語帳送信機能、グループ学習機能を実現することもできる。
【０１１５】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１１６】
以下に、本願出願の当初の特許請求の範囲に記載された発明を付記する。
【０１１７】
［１］
外部の装置と通信する通信手段と、
第１のモード又は第２のモードに設定するモード設定手段と、
このモード設定手段により第１のモードに設定された場合に、出題する問題を決定する出題決定手段と、
この出題決定手段により決定された問題を前記外部の装置へ送信する問題送信手段と、
前記モード設定手段により第２のモードに設定された場合に、前記外部の装置から送信された問題を受信する問題受信手段と、
前記問題を出力する問題出力手段と、
この問題出力手段により出力された問題に対するユーザの解答が正解か否かをユーザ操作に応じて入力する正否入力手段と、
前記モード設定手段により第２のモードに設定された場合に、前記正否入力手段により入力された正解か否かの情報を前記第１のモードに設定された外部の装置へ送信する正否情報送信手段と、
前記モード設定手段により第１のモードに設定された場合に、前記第２のモードに設定された外部の装置から送信された正解か否かの情報を受信する正否情報受信手段と、
この正否情報受信手段により前記外部の装置から受信された正解か否かの情報と前記正否入力手段により入力された当該装置での正解か否かの情報とに基づいて、次に第１のモードに設定する装置を決定する第１の装置決定手段と、
を備えたことを特徴とする学習装置。
【０１１８】
［２］
単語帳データを記憶する単語帳記憶手段を備え、
前記出題決定手段は、前記モード設定手段により第１のモードに設定された場合に、前記単語帳記憶手段により記憶された単語帳データから出題する単語の問題を決定する、
ことを特徴とする［１］に記載の学習装置。
【０１１９】
［３］
外部の電子辞書から単語帳データを受信する単語帳受信手段を備え、
前記単語帳記憶手段は、前記単語帳受信手段により受信された単語帳データを記憶する、
ことを特徴とする［２］に記載の学習装置。
【０１２０】
［４］
手書きの軌跡を入力する手書き入力手段と、
正解か否かを入力するキー入力手段とを備え、
前記正否入力手段は、前記問題出力手段により出力された問題に対して前記手書き入力手段により入力された解答が正解か否かを前記キー入力手段により入力する、
ことを特徴とする［１］ないし［３］の何れかに記載の学習装置。
【０１２１】
［５］
前記第１の装置決定手段は、前記正否情報受信手段により前記外部の装置から受信された正解か否かの情報と前記正否入力手段により入力された当該装置での正解か否かの情報とに基づいて、正解の度合いが高い装置を次に第１のモードに設定する装置として決定する、
ことを特徴とする［１］ないし［４］の何れかに記載の学習装置。
【０１２２】
［６］
外部の装置と通信する通信手段を備えた電子装置のコンピュータを制御するためのプログラムであって、
前記コンピュータを、
第１のモード又は第２のモードに設定するモード設定手段、
このモード設定手段により第１のモードに設定された場合に、出題する問題を決定する出題決定手段、
この出題決定手段により決定された問題を前記外部の装置へ送信する問題送信手段、
前記モード設定手段により第２のモードに設定された場合に、前記外部の装置から送信された問題を受信する問題受信手段、
前記問題を出力する問題出力手段、
この問題出力手段により出力された問題に対するユーザの解答が正解か否かをユーザ操作に応じて入力する正否入力手段、
前記モード設定手段により第２のモードに設定された場合に、前記正否入力手段により入力された正解か否かの情報を前記第１のモードに設定された外部の装置へ送信する正否情報送信手段、
前記モード設定手段により第１のモードに設定された場合に、前記第２のモードに設定された外部の装置から送信された正解か否かの情報を受信する正否情報受信手段、
この正否情報受信手段により前記外部の装置から受信された正解か否かの情報と前記正否入力手段により入力された当該装置での正解か否かの情報とに基づいて、次に第１のモードに設定する装置を決定する第１の装置決定手段、
として機能させるためのコンピュータ読み込み可能なプログラム。
【符号の説明】
【０１２３】
１０  …電子辞書
１４  …キー入力部（辞書）
１４ａ…［単語帳登録］キー
１５  …タッチパネル式表示部
２２ａ…辞書制御プログラム
２２ｂ…辞書データベース
２２ｃ…単語帳リストデータ
２５  …通信部
２６ｃ…単語帳出力ファイル
３０  …電子単語帳
３１  …キー入力部（単語帳）
３１ａ…送り［＜］キー
３１ｂ…［○］キー
３１ｃ…［×］キー
３１ｄ…チェック［Ｖ］キー
４２ａ…単語帳制御プログラム
４２ｂ…単語帳データ
４２ｃ…問題集データ
４３  …近距離無線通信部
４４ｂ…親／子モードデータメモリ
４４ｃ…結果履歴データメモリ
５０  …Ｗｅｂサーバ
Ｎ    …通信ネットワーク
【図１】
2015176041.tif 000003
【図２】
2015176041.tif 000004
【図３】
2015176041.tif 000005
【図４】
2015176041.tif 000006
【図５】
2015176041.tif 000007
【図６】
2015176041.tif 000008
【図７】
2015176041.tif 000009
【図８】
2015176041.tif 000010
【図９】
2015176041.tif 000011
【図１０】
2015176041.tif 000012
【図１１】
2015176041.tif 000013
【図１２】
2015176041.tif 000014
【図１３】
2015176041.tif 000015
【図１４】
2015176041.tif 000016